(57)【特許請求の範囲】
【請求項１】
固定基礎と、固定基礎に設けられた永久磁石発電機と、永久磁石発電機に設けられた発電機回転子と、電池と、風エネルギー捕捉モジュールと、波エネルギー捕捉モジュールと、沈下監視モジュールとを含む自己給電式の水中固定基礎に対する流体洗掘のリアルタイム監視システムにおいて、
発電機回転子は、一方が風エネルギー捕捉モジュールに伝動可能に接続され、他方が波エネルギー捕捉モジュールの２つの伝動ユニットに伝動可能に接続され、
固定基礎の片面には、ブラケットが設けられ、
波エネルギー捕捉モジュールの支持構造は、ブラケットに設けられ、２つの伝動ユニットが支持構造に設けられ、
波エネルギー捕捉モジュールのリング形状の浮遊ユニットは、２つの伝動ユニットに伝動可能に接続され、
ブラケットには、浮遊ユニットの貫通孔に上下方向に沿って挿通された延伸柱が取り付けられ、
浮遊ユニットは、波とともに上下し、２つの伝動ユニットの動作によって発電機回転子が回転して永久磁石発電機で電気エネルギーを発生させ、
電池は、永久磁石発電機により発生した電気エネルギーを蓄積し、沈下監視モジュールに給電し、
沈下監視モジュールは、引張力センシングモジュールと、データ収集および分析処理モジュールと、牽引部とを含み、
延伸柱の下端には、収納箱が固定され、
収納箱の中には、引張力センシングモジュールと、データ収集および分析処理モジュールが設けられ、
牽引部は、一方が引張力センシングモジュールに摺動可能に接続され、他方が沈下検知レバーに接続され、
沈下探知レバーは、固定基礎に固定される固定スリーブに沿って固定基礎の周囲の水中底面に自在に置かれ、自身の重力で水中底面の沈下に追従して沈下し、
引張力センシングモジュールは、牽引部を介して沈下探知レバーの沈下に伴って水中底面沈下の実データを取得し、
測定されるデータは、引張力センシングモジュールに接続されるデータ収集および分析処理モジュールによって分析処理が行われ、
２つの伝動ユニットのそれぞれは、伝動ラックと、ギアアセンブリと、伝動チェーンアセンブリとを含み、 
２つの伝動ユニットがそれぞれ有する伝動ラックは、浮遊ユニットの貫通孔の両側に間隔をあけて固定され、
ギアアセンブリは、伝動ラックと伝動チェーンアセンブリを接続し、
伝動ラックは、ギアアセンブリを介して波エネルギーを機械エネルギーに変換して伝動チェーンアセンブリに伝達し、
ギアアセンブリは、伝動ラックに接続された伝動平歯車を有しており、
２つの伝動ユニットのギアアセンブリにおける伝動平歯車は、伝動ラックの上下動により互いに反対方向に回転するように伝動ラックに接続され、
伝動チェーンアセンブリは、伝動ラックの上下動により一方の回転方向に回転する伝動平歯車の力を伝動し、他方の回転方向に回転する伝動歯車の力を伝動しないオーバーランニングクラッチを介して発電機回転子に接続される、
ことを特徴とする自己給電式の水中固定基礎に対する流体洗掘のリアルタイム監視システム。
【請求項２】
固定基礎と、固定基礎に設けられた永久磁石発電機と、永久磁石発電機に設けられた発電機回転子と、電池と、風エネルギー捕捉モジュールと、波エネルギー捕捉モジュールと、沈下監視モジュールとを含む自己給電式の水中固定基礎に対する流体洗掘のリアルタイム監視システムにおいて、
発電機回転子は、一方が風エネルギー捕捉モジュールに伝動可能に接続され、他方が波エネルギー捕捉モジュールの伝動ユニットに伝動可能に接続され、
固定基礎の片面には、ブラケットが設けられ、
波エネルギー捕捉モジュールの支持構造は、ブラケットに設けられ、伝動ユニットが支持構造に設けられ、
波エネルギー捕捉モジュールのリング形状の浮遊ユニットは、伝動ユニットに伝動可能に接続され、
ブラケットは側方に張り出した張出部を有し、
この張出部には、浮遊ユニットの貫通孔に上下方向に沿って挿通された延伸柱が取り付けられており、
浮遊ユニットは、波とともに上下し、伝動ユニットの動作によって発電機回転子が回転して永久磁石発電機で電気エネルギーを発生させ、
電池は、永久磁石発電機により発生した電気エネルギーを蓄積し、沈下監視モジュールに給電し、
沈下監視モジュールは、引張力センシングモジュールと、データ収集および分析処理モジュールと、牽引部とを含み、
延伸柱の下端には、収納箱が固定され、
収納箱の中には、引張力センシングモジュールと、データ収集および分析処理モジュールが設けられ、
牽引部は、一方が引張力センシングモジュールに摺動可能に接続され、他方が沈下検知レバーに接続され、
沈下探知レバーは、固定基礎に固定される固定スリーブに沿って固定基礎の周囲の水中底面に自在に置かれ、自身の重力で水中底面の沈下に追従して沈下し、
引張力センシングモジュールは、牽引部を介して沈下探知レバーの沈下に伴って水中底面沈下の実データを取得し、
測定されるデータは、引張力センシングモジュールに接続されるデータ収集および分析処理モジュールによって分析処理が行われる、
ことを特徴とする自己給電式の水中固定基礎に対する流体洗掘のリアルタイム監視システム。
【請求項３】
伝動ユニットは、伝動ラックと、ギアアセンブリと、伝動チェーンアセンブリとを含み、
伝動ラックは、浮遊ユニットに固定されて接続され、
ギアアセンブリは、伝動ラックと伝動チェーンアセンブリを接続し、
伝動ラックは、ギアアセンブリを介して波エネルギーを機械エネルギーに変換して伝動チェーンアセンブリに伝達し、
伝動チェーンアセンブリは、オーバーランニングクラッチを介して発電機回転子に接続される、
ことを特徴とする請求項２に記載の自己給電式の水中固定基礎に対する流体洗掘のリアルタイム監視システム。
【請求項４】
伝動チェーンアセンブリは、
接続棒に固定される駆動輪と、オーバーランニングクラッチを介して発電機回転子に接続される従動輪と、駆動輪と従動輪に巻き付けられたチェーンとを含む、
ことを特徴とする請求項１または３に記載の自己給電式の水中固定基礎に対する流体洗掘のリアルタイム監視システム。
【請求項５】
２つ設けられた伝動ラックは、浮遊ユニットの貫通孔の両側にそれぞれ位置し、
延伸柱は、２つの伝動ラックの間に設けられ、浮遊ユニットの貫通孔に挿通されている、
ことを特徴とする請求項４に記載の自己給電式の水中固定基礎に対する流体洗掘のリアルタイム監視システム。
【請求項６】
引張力センシングモジュールは、少なくとも１つの引張力センサと、少なくとも１つのバネを含み、
引張力センサは、バネの第１端部に接続し、
バネの第２端部は、牽引部に接続される、
ことを特徴とする請求項１または３に記載の自己給電式の水中固定基礎に対する流体洗掘のリアルタイム監視システム。
【請求項７】
前記固定基礎に固定されて接続された第２ブラケットをさらに含み、
前記固定スリーブは、第２ブラケットに固定されて接続される、
ことを特徴とする請求項６に記載の自己給電式の水中固定基礎に対する流体洗掘のリアルタイム監視システム。
【発明の詳細な説明】
【技術分野】
【０００１】
本発明は、水中流体洗掘の監視技術に係り、特に、自己給電式の水中固定基礎に対する流体洗掘のリアルタイム監視システムに係る。
【背景技術】
【０００２】
洗掘は、水の流れが水中の固定基礎を流れる際に生じる避けられない自然現象である。水の流れは、固定基礎を流れる場合、固定基礎の周囲の河床を浸食して固定基礎の周囲の砂などの堆積物を取り除き、固定基礎の周囲に洗掘孔を形成する。固定基礎の周囲に洗掘孔が形成されると、固定基礎の強度が低下する。暴風雨や津波などの極端な気候条件の下で、強度の低い固定基礎は、予兆もなく突然に崩れ落ちる可能性が大いにある。このような固定基礎の洗掘問題は、水利、橋、港などの海洋工学の分野で大きな注目を集めている。
【０００３】
従来技術では、特定の監視装置を固定基礎に設置して当該固定基礎の周囲の水中底面沈下状況を監視することが多い。たとえば、ソナー、超音波、光ファイバーによる測定などの監視手段がある。ただし、これらの監視装置は、監視を実現するには電気エネルギーの追加消費も必要となるため、全体の電力消費が増加する。
【発明の概要】
【発明が解決しようとする課題】
【０００４】
本発明は、電力消費を低下させるための自己給電式の水中固定基礎に対する流体洗掘のリアルタイム監視システムを提供する。
【課題を解決するための手段】
【０００５】
本発明の１つの態様によれば、自己給電式の水中固定基礎に対する流体洗掘のリアルタイム監視システムを提供する。当該自己給電式の水中固定基礎に対する流体洗掘のリアルタイム監視システムは、固定基礎と、固定基礎に設けられた永久磁石発電機と、永久磁石発電機に設けられた発電機回転子と、電池と、風エネルギー捕捉モジュールと、波エネルギー捕捉モジュールと、沈下監視モジュールとを含む。発電機回転子は、一方が風エネルギー捕捉モジュールに伝動可能に接続され、他方が波エネルギー捕捉モジュールの伝動ユニットに伝動可能に接続される。固定基礎の片面には、ブラケットが設けられている。波エネルギー捕捉モジュールの支持構造は、ブラケットに設けられ、伝動ユニットが支持構造に設けられる。波エネルギー捕捉モジュールのリング形状の浮遊ユニットは、伝動ユニットに伝動可能に接続される。ブラケットには、浮遊ユニットに嵌め込まれる延伸柱を有する。浮遊ユニットは、波とともに上下し、伝動ユニットの移動によって発電機回転子に電気エネルギーを発生させる。電池は、電気エネルギーを蓄積し、沈下監視モジュールに給電する。沈下監視モジュールは、引張力センシングモジュールと、データ収集および分析処理モジュールと、牽引部とを含む。延伸柱の下端には、収納箱が固定される。収納箱の中には、引張力センシングモジュールと、データ収集および分析処理モジュールが設けられている。牽引部は、一方が引張力センシングモジュールに摺動可能に接続され、他方が沈下検知レバーに接続される。沈下探知レバーは、固定基礎に固定される固定スリーブに沿って固定基礎の周囲の水中底面に自在に置かれ、自身の重力で水中底面の沈下に追従して沈下する。引張力センシングモジュールは、牽引部を介して沈下探知レバーの沈下に伴って水中底面沈下の実データを取得する。測定されるデータは、引張力センシングモジュールに接続されるデータ収集および分析処理モジュールによって分析処理が行われる。
【０００６】
選択可能に、伝動ユニットは、伝動ラックと、ギアアセンブリと、伝動チェーンアセンブリとを含む。伝動ラックは、浮遊ユニットに固定されて接続される。ギアアセンブリは、伝動ラックと伝動チェーンアセンブリを接続する。伝動ラックは、ギアアセンブリを介して波エネルギーを機械エネルギーに変換して伝動チェーンアセンブリに伝達する。伝動チェーンアセンブリは、オーバーランニングクラッチ（Ｏｖｅｒｒｕｎｎｉｎｇ  Ｃｌｕｔｃｈ）を介して発電機回転子に接続される。
【０００７】
選択可能に、伝動チェーンアセンブリは、チェーンと、駆動輪と、従動輪を含む。チェーンは、駆動輪と従動輪に巻き付けられる。駆動輪は、接続棒に固定される。従動輪は、オーバーランニングクラッチを介して発電機回転子に接続される。
【０００８】
選択可能に、２つ設けられた伝動ラックは、浮遊ユニットの貫通孔の両側にそれぞれ位置する。延伸柱は、２つの伝動ラックの間に設けられ、浮遊ユニットの貫通孔に嵌め込まれる。
【０００９】
選択可能に、引張力センシングモジュールは、少なくとも１つの引張力センサと、少なくとも１つのバネを含む。引張力センサは、バネの第１端部に接続し、バネの第２端部は、牽引部に接続される。
【００１０】
選択可能に、前記固定基礎に固定されて接続された第２ブラケットをさらに含み、前記固定スリーブは、第２ブラケットに固定されて接続される。
【発明の効果】
【００１１】
本発明の実施例によって提供される自己給電式の水中固定基礎に対する流体洗掘のリアルタイム監視システムは、波エネルギー捕捉モジュールで波の波エネルギーを電気エネルギーに変換し、さらに電気エネルギーで当該沈下監視モジュールに給電することによって、固定基礎の周囲の水中底面沈下状況を検出する場合、沈下監視モジュールの電力消費を低下させることを実現する。
【図面の簡単な説明】
【００１２】
本発明の実施例や従来技術の技術手段をより明確に説明するために、以下、実施例や従来技術の記載に必要とされる図面を簡単に紹介する。明らかに、以下の記載に関する図面は、本発明の一部の実施例である。当業者にとって、創造性のある作業をしない前提にこれらの図面から他の図面を得ることもできる。
【００１３】
【図１】本発明の実施例によって提供される自己給電式の水中固定基礎に対する流体洗掘のリアルタイム監視システムの構造図
【図２】本発明の実施例によって提供される伝動ラックと延伸柱ブラケットの実現構造の正面図
【発明を実施するための形態】
【００１４】
本発明の実施例の目的、技術手段及び利点をより明確にするために、以下、本発明の実施例の図面を参照しながら、本発明の実施例の技術手段を明確且つ完全的に記載する。明らかに、記載される実施例は、本発明の実施例の一部であり、全てではない。本発明の実施例に基づき、当業者が創造性のある作業をせずに為しえる全てのほかの実施例は、すべて本発明の保護範囲に属するものである。
【００１５】
図１は、本発明の実施例によって提供される自己給電式の水中固定基礎に対する流体洗掘のリアルタイム監視システムの構造図である。図１に示すように、当該システムは、永久磁石発電機１と、永久磁石発電機１に設けられた発電機回転子１１と、風エネルギー捕捉モジュール２と、電池３と、波エネルギー捕捉モジュール４と、沈下監視モジュール５と、固定基礎６を含む。ここで、永久磁石発電機１は、固定基礎（ベース）６に設けられている。発電機回転子１１は、一方が風エネルギー捕捉モジュール２に伝動可能に接続され、他方が波エネルギー捕捉モジュール４の伝動ユニット４０に伝動可能に接続される。固定基礎６の片面には、ブラケット６０が設けられている。波エネルギー捕捉モジュール４の支持構造は、ブラケット６０に設けられ、伝動ユニット４０が支持構造４０１に設けられている。波エネルギー捕捉モジュール４のリング形状の浮遊ユニット４１は、伝動ユニット４０に伝動可能に接続される。ブラケット６０には、浮遊ユニット４１の貫通孔４１０に嵌め込まれる延伸柱６０１を有する。浮遊ユニット４１は、波とともに上下し、伝動ユニット４０の移動によって発電機回転子１１に電気エネルギーを発生させる。電池３は、電気エネルギーを蓄積し、沈下監視モジュール５に給電する。沈下監視モジュール５は、引張力センシングモジュール５０と、データ収集および分析処理モジュール５１と、牽引部５２とを含む。延伸柱６０１の下端には、収納箱５３が固定される。収納箱５３の中には、引張力センシングモジュール５０と、データ収集および分析処理モジュール５１が設けられている。牽引部５２は、一方が引張力センシングモジュール５０に摺動可能に接続され、他方が沈下検知レバー５４に接続される。沈下探知レバー５４は、固定基礎６に固定される固定スリーブ５５に沿って固定基礎６の周囲の水中底面に自在に置かれ、自身の重力で水中底面の沈下に追従して沈下する。引張力センシングモジュール５０は、牽引部５２を介して沈下探知レバー５４の沈下に伴って水中底面沈下の実データを取得する。測定されるデータは、引張力センシングモジュール５０に接続されるデータ収集および分析処理モジュール５１によって分析処理が行われる。
【００１６】
本発明の実施例によって提供される自己給電式の水中固定基礎に対する流体洗掘のリアルタイム監視システムは、波エネルギー捕捉モジュールで波の波エネルギーを電気エネルギーに変換し、さらに電気エネルギーで当該沈下監視モジュールに給電することによって、固定基礎の周囲の水中底面沈下状況を検出する場合、沈下監視モジュールの電力消費を低下させることを実現する。
【００１７】
選択可能に、伝動ユニット４０は、伝動ラック４０４と、ギアアセンブリ４０２と、伝動チェーンアセンブリ４０３を含む。伝動ラック４０４は、浮遊ユニット４１に固定されて接続される。ギアアセンブリ４０２は、伝動ラック４０４と伝動チェーンアセンブリ４０３を接続する。伝動ラック４０４は、ギアアセンブリを介して波エネルギーを機械エネルギーに変換して伝動チェーンアセンブリ４０３に伝達する。伝動チェーンアセンブリ４０３は、オーバーランニングクラッチを介して発電機回転子１１に接続される。
【００１８】
さらに、ギアアセンブリ４０２は、少なくとも２つの伝動ギヤ部材４０２１と、少なくとも１つの接続ギヤ部材４０２２を含む。当該伝動ギヤ部材４０２１は、伝動棒４０２１ａおよび伝動棒４０２１ａに離間して固定される伝動平歯車４０２１ｂと伝動傘歯車４０２１ｃを含む。接続ギヤ部材４０２２は、接続棒４０２２ａおよび接続棒４０２２ａに離間して固定される２つの接続傘歯車４０２２ｂを含む。当該伝動平歯車４０２１ｂは伝動ラック４０４に噛み合わせられ、伝動傘歯車４０２１ｃは１つの接続傘歯車４０２２ｂに噛み合わせられ、接続棒４０２２ａは伝動チェーンアセンブリ４０３に接続する。
【００１９】
さらに、伝動チェーンアセンブリ４０３は、チェーン４０３１と、駆動輪４０３２と、従動輪４０３３を含む。チェーン４０３１は、駆動輪４０３２と従動輪４０３３に巻き付けられて設けられる。駆動輪４０３２は、接続棒４０２２ａに固定される。従動輪４０３３は、オーバーランニングクラッチを介して発電機回転子１１に接続される。
【００２０】
伝動ラック４０４、それに噛み合わせる２つの伝動ギヤ部材４０２１ｂ、対応する接続ギヤ部材４０２２および接続される伝動チェーンアセンブリ４０３は、１つの伝動アセンブリである。伝動ラック４０４が上または下へ運動すると、１つの伝動アセンブリのみが発電する。
【００２１】
伝動ラック４０４が浮遊ユニット４１によって波の作用で上へ摺動する場合、そのうちの１つの伝動ラック４０４の２つの伝動平歯車４０２１ｂは、反時計方向に回転するが、別の伝動ギヤ４０４に噛み合わせる２つの伝動平歯車４０２１ｂは、時計方向に回転する。この場合、反時計方向に回転する伝動平歯車４０２１ｂは、それに噛み合わせる接続ギヤ部材４０２２および対応する伝動チェーンアセンブリ４０３によって波エネルギーを機械エネルギーに変換して発電機回転子１１に伝達し、発電機回転子１１によって永久磁石発電機１に給電する。発生されるエネルギーは、電池３で蓄積され、さらに沈下監視モジュール５に給電し、沈下監視モジュール５の電力消費を低下させる。ここで、時計方向に回転する伝動平歯車４０２１ｂに対応する伝動チェーンアセンブリ４０３は、オーバーランニングクラッチによって発電機回転子１１に対しねじりモーメントを発生させない。
【００２２】
波が消えると、伝動ラック４０４は、自身および浮遊ユニット４１に作用する重力で下へ運動する場合、そのうちの２つの伝動平歯車４０２１ｂは、反時計方向に回転し、伝動傘歯車４０２１ｃを回転させる。接続棒４０２２ａは、接続傘歯車４０２２ｂとともに回転し、駆動輪４０３２とチェーン４０３１を回転駆動する。さらに、従動輪４０３３の時計方向の回転によって、発電機回転子１１に対し回転モーメントを発生することによって、伝動ラック４０４と浮遊ユニット４１の重力ポテンシャルエネルギーを電気エネルギーに変換する。
【００２３】
図２は、本発明の実施例によって提供される伝動ラックと延伸柱場ラケットの実現構造の正面図である。図２に示すように、設けられた２つの伝動ラック４０４は、浮遊ユニット４１の貫通孔４１０の両側にそれぞれ位置する。延伸柱ブラケット６０１は、２つの伝動ラック４０４の間に設けられ、浮遊ユニット４１の貫通孔４１０に嵌め込まれる。
【００２４】
伝動平歯車４０２１ｂは、伝動ラック４０４の両側にそれぞれ設けられている。
【００２５】
引き続き図１を参照すると、引張力センシングモジュール５０は、少なくとも１つの引張力センサ５０１と、少なくとも１つのバネ５０２を含む。引張力センサ５０１は、バネ５０２の第１端部に接続し、バネ５０２の第２端部は、牽引部５２に接続される。
【００２６】
さらに、図１に示すように、固定基礎６に固定されて接続された第２ブラケット５６をさらに含み、固定スリーブは、第２ブラケット５６に固定されて接続される。
【００２７】
なお、上記実施例に係る伝動ラックおよび各種の歯車について、対応する歯が図示されていない。上記の各アセンブリを規定するために、必要なブラケットも上記実施例において示されていない。
【００２８】
上記方法実施例を実現するすべてまたは一部のステップは、プログラムで関連ハードウェアを指示することによって実現される。これは、当業者にとって自明である。前記のプログラムは、コンピュータが読み取り可能な記憶媒体に記憶される。当該プログラムが実行されると、上記方法実施例を含むステップを実行する。前記の記憶媒体は、ＲＯＭ、ＲＡＭ、磁気ディスクや光ディスクなど、プログラムコードを記憶可能な様々な媒体である。
【００２９】
最後に、以上の各実施例は、本発明の技術手段を説明することのみに用いられ、それを限定しない。前記の各実施例を参照して本発明を詳細に説明したが、当業者にとって、前記の各実施例に記載の技術手段の変更や、そのうちの一部またはすべての技術構成の均等置換ができることは、自明である。これらの変更や置換によっても、対応する技術手段は、実質上、本発明の各実施例の技術手段の範囲から逸脱しない。
【００３０】
（付記）
（付記１）
固定基礎と、固定基礎に設けられた永久磁石発電機と、永久磁石発電機に設けられた発電機回転子と、電池と、風エネルギー捕捉モジュールと、波エネルギー捕捉モジュールと、沈下監視モジュールとを含む自己給電式の水中固定基礎に対する流体洗掘のリアルタイム監視システムにおいて、
発電機回転子は、一方が風エネルギー捕捉モジュールに伝動可能に接続され、他方が波エネルギー捕捉モジュールの伝動ユニットに伝動可能に接続され、
固定基礎の片面には、ブラケットが設けられ、
波エネルギー捕捉モジュールの支持構造は、ブラケットに設けられ、伝動ユニットが支持構造に設けられ、
波エネルギー捕捉モジュールのリング形状の浮遊ユニットは、伝動ユニットに伝動可能に接続され、
ブラケットには、浮遊ユニットに嵌め込まれる延伸柱を有し、
浮遊ユニットは、波とともに上下し、伝動ユニットの移動によって発電機回転子に電気エネルギーを発生させ、
電池は、電気エネルギーを蓄積し、沈下監視モジュールに給電し、
沈下監視モジュールは、引張力センシングモジュールと、データ収集および分析処理モジュールと、牽引部とを含み、
延伸柱の下端には、収納箱が固定され、
収納箱の中には、引張力センシングモジュールと、データ収集および分析処理モジュールが設けられ、
牽引部は、一方が引張力センシングモジュールに摺動可能に接続され、他方が沈下検知レバーに接続され、
沈下探知レバーは、固定基礎に固定される固定スリーブに沿って固定基礎の周囲の水中底面に自在に置かれ、自身の重力で水中底面の沈下に追従して沈下し、
引張力センシングモジュールは、牽引部を介して沈下探知レバーの沈下に伴って水中底面沈下の実データを取得し、
測定されるデータは、引張力センシングモジュールに接続されるデータ収集および分析処理モジュールによって分析処理が行われる、
ことを特徴とする自己給電式の水中固定基礎に対する流体洗掘のリアルタイム監視システム。
【００３１】
（付記２）
伝動ユニットは、伝動ラックと、ギアアセンブリと、伝動チェーンアセンブリとを含み、
伝動ラックは、浮遊ユニットに固定されて接続され、
ギアアセンブリは、伝動ラックと伝動チェーンアセンブリを接続し、
伝動ラックは、ギアアセンブリを介して波エネルギーを機械エネルギーに変換して伝動チェーンアセンブリに伝達し、
伝動チェーンアセンブリは、オーバードライブクラッチを介して発電機回転子に接続される、
ことを特徴とする付記１に記載の自己給電式の水中固定基礎に対する流体洗掘のリアルタイム監視システム。
【００３２】
（付記３）
伝動チェーンアセンブリは、
接続棒に固定される駆動輪と、オーバードライブクラッチを介して発電機回転子に接続される従動輪と、駆動輪と従動輪に巻き付けられたチェーンとを含む、
ことを特徴とする付記２に記載の自己給電式の水中固定基礎に対する流体洗掘のリアルタイム監視システム。
【００３３】
（付記４）
２つ設けられた伝動ラックは、浮遊ユニットの貫通孔の両側にそれぞれ位置し、
延伸柱は、２つの伝動ラックの間に設けられ、浮遊ユニットの貫通孔に嵌め込まれる、
ことを特徴とする付記３に記載の自己給電式の水中固定基礎に対する流体洗掘のリアルタイム監視システム。
【００３４】
（付記５）
引張力センシングモジュールは、少なくとも１つの引張力センサと、少なくとも１つのバネを含み、
引張力センサは、バネの第１端部に接続し、
バネの第２端部は、牽引部に接続される、
ことを特徴とする付記１に記載の自己給電式の水中固定基礎に対する流体洗掘のリアルタイム監視システム。
【００３５】
（付記６）
前記固定基礎に固定されて接続された第２ブラケットをさらに含み、
前記固定スリーブは、第２ブラケットに固定されて接続される、
ことを特徴とする付記５に記載の自己給電式の水中固定基礎に対する流体洗掘のリアルタイム監視システム。
【図１】
0006905294.tif 000002
【図２】
0006905294.tif 000003